(57)【要約】  本願の実施例は、上りリンク伝送とサイドリンク伝送との時間的な衝突が発生した場合に、端末デバイスが、サイドリンク上のデータのＰＰＰＰと閾値とに基づいてデータ伝送衝突を解決することができ、それによって、Ｒｅｌｅａｓｅ１５、および後続のリリースにおけるデータ伝送の要件を満たす衝突解決方法および端末デバイスを提供する。該方法は、端末間通信に応用され、端末デバイスがＭ個の第１のタイプのキャリアでサイドデータを、Ｎ個の第２のタイプのキャリアで上りデータを同時に伝送する必要があり、Ｍ及びＮが正の整数であり、該方法は、さらに、該端末デバイスが該Ｍ個の第１のタイプのキャリアで伝送されるサイドデータのパケット優先度ＰＰＰＰ及び第１の閾値に基づいて、該Ｍ個の第１のタイプのキャリアの一部又は全部のキャリアでサイドデータを優先的に伝送すると決定し、又は、該Ｎ個の第２のタイプのキャリアの一部又は全部のキャリアで上りデータを優先的に伝送すると決定することを含む。
2021508209.tif 000002
【特許請求の範囲】
【請求項１】
端末間通信に応用される衝突解決方法であって、
端末デバイスがＭ個の第１のタイプのキャリアでサイドデータを、Ｎ個の第２のタイプのキャリアで上りデータを同時に伝送する必要があり、Ｍ及びＮが正の整数であり、
前記方法は、さらに、
前記端末デバイスが前記Ｍ個の第１のタイプのキャリアで伝送されるサイドデータのパケット優先度ＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することを含む
ことを特徴とする衝突解決方法。
【請求項２】
前記Ｍ個の第１のタイプのキャリアにおいて少なくとも１つのサイドデータのＰＰＰＰが第１の閾値よりも小さい場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが前記Ｍ個の第１のタイプのキャリアでサイドデータを優先的に伝送すると決定することを含む
ことを特徴とする請求項１に記載の衝突解決方法。
【請求項３】
前記方法は、さらに、
前記端末デバイスが前記第２のタイプのキャリアでの上りデータの伝送をキャンセルすることを含む
ことを特徴とする請求項２に記載の衝突解決方法。
【請求項４】
前記Ｍ個の第１のタイプのキャリアでのサイドデータの伝送が完了した後、前記方法は、さらに、
前記端末デバイスがＸ個の第２のタイプのキャリアで上りデータを伝送することを含み、
前記Ｍ個の第１のタイプのキャリアで伝送されるサイドデータと、前記Ｘ個の第２のタイプのキャリアで伝送される上りデータとが使用される総送信電力が前記端末デバイスの最大送信電力の以下であり、ＸがＮの以下である
ことを特徴とする請求項２に記載の衝突解決方法。
【請求項５】
前記端末デバイスが前記Ｍ個の第１のタイプのキャリアでサイドデータを優先的に伝送すると決定することは、
前記端末デバイスが、信頼性要求が第１の閾値以上であるサイドデータを前記Ｍ個の第１のタイプのキャリアで優先的に伝送すると決定することを含む
ことを特徴とする請求項２〜４のいずれか１項に記載の衝突解決方法。
【請求項６】
前記方法は、さらに、
前記端末デバイスは、信頼性要求が第１の閾値以下であるサイドデータの前記Ｍ個の第１のタイプのキャリアでの伝送をキャンセルすると決定することを含む
ことを特徴とする請求項５に記載の衝突解決方法。
【請求項７】
前記サイドデータがパケットデータコンバージェンスプロトコルＰＤＣＰに基づいてコピー伝送される第１のサイドデータ及び第２のサイドデータを含み、前記第２のサイドデータが前記第１のサイドデータのコピーデータである場合、
前記端末デバイスが前記Ｍ個の第１のタイプのキャリアでサイドデータを優先的に伝送すると決定することは、
前記端末デバイスが、前記Ｍ個の第１のタイプのキャリアで前記第１のサイドデータを優先的に伝送すると決定することを含む
ことを特徴とする請求項２〜４のいずれか１項に記載の衝突解決方法。
【請求項８】
前記方法は、さらに、
前記端末デバイスが、前記Ｍ個の第１のタイプのキャリアでの前記第２のサイドデータの伝送をキャンセルすると決定することを含む
ことを特徴とする請求項７に記載の衝突解決方法。
【請求項９】
前記Ｍ個の第１のタイプのキャリアにおいて少なくとも１つのサイドデータのＰＰＰＰが第１の閾値以上である場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｎ個の第２のタイプのキャリアで上りデータを優先的に伝送すると決定することを含む
ことを特徴とする請求項１に記載の衝突解決方法。
【請求項１０】
前記Ｍ個の第１のタイプのキャリアにおいてＰＰＰＰが第１の閾値よりも小さいサイドデータがない場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｎ個の第２のタイプのキャリアで上りデータを優先的に伝送すると決定することを含む
ことを特徴とする請求項１に記載の衝突解決方法。
【請求項１１】
前記方法は、さらに、
前記端末デバイスが前記第１のタイプのキャリアでのサイドデータの伝送をキャンセルすることを含む
ことを特徴とする請求項９又は１０に記載の衝突解決方法。
【請求項１２】
前記Ｎ個の第２のタイプのキャリアでの上りデータの伝送が完了した後、前記方法は、さらに、
前記端末デバイスがＹ個の第１のタイプのキャリアでサイドデータを伝送することを含み、
前記Ｎ個の第２のタイプのキャリアで伝送される上りデータと前記Ｙ個の第１のタイプのキャリアで伝送されるサイドデータとが要する総送信電力が、前記端末デバイスの最大送信電力よりも小さく、ＹがＭ以下である
ことを特徴とする請求項９又は１０に記載の衝突解決方法。
【請求項１３】
Ｕ個の第１のタイプのキャリア内のサイドデータのＰＰＰＰが第１の閾値よりも小さく、ＵとＶの和がＭである場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｕ個の第１のタイプのキャリアでサイドデータを優先的に伝送すると決定することを含む
ことを特徴とする請求項１に記載の衝突解決方法。
【請求項１４】
前記方法は、さらに、
前記端末デバイスが、前記Ｎ個の第２のタイプのキャリアでの上りデータの伝送及びＶ個の第１のタイプのキャリアでのサイドデータの伝送をキャンセルすることを含む
ことを特徴とする請求項１３に記載の衝突解決方法。
【請求項１５】
前記Ｕ個の第１のタイプのキャリアでのサイドデータの伝送が完了した後、前記方法は、さらに、
前記端末デバイスがＫ個の第２のタイプのキャリアで上りデータを伝送することを含み、
前記Ｕ個の第１のタイプのキャリアで伝送されるサイドデータと前記Ｋ個の第２のタイプのキャリアで伝送される上りデータとが使用される総送信電力が、前記端末デバイスの最大送信電力以下であり、ＫがＮ以下である
ことを特徴とする請求項１３に記載の衝突解決方法。
【請求項１６】
前記Ｕ個の第１のタイプのキャリアでのサイドデータの伝送が完了した後、前記方法は、さらに、
前記端末デバイスがＱ個の第２のタイプのキャリアにおいて上りデータを伝送し、Ｓ個の第１のタイプのキャリアにおいてサイドデータを伝送することを含み、
前記Ｕ個の第１のタイプのキャリアで伝送されるサイドデータと、前記Ｑ個の第２のタイプのキャリアで伝送される上りデータと、前記Ｓ個の第１のタイプのキャリアで伝送されるサイドデータとが使用される総送信電力が、前記端末デバイスの最大送信電力以下であり、ＱがＮ以下であり、ＳがＶ以下である
ことを特徴とする請求項１３に記載の衝突解決方法。
【請求項１７】
前記端末デバイスが、前記Ｕ個の第１のタイプのキャリアでサイドデータを優先的に伝送すると決定することは、
前記端末デバイスが、信頼性要求が第１の閾値以上であるサイドデータを前記Ｕ個の第１のタイプのキャリアで優先的に伝送すると決定することを含む
ことを特徴とする請求項１３〜１６のいずれか１項に記載の衝突解決方法。
【請求項１８】
前記方法は、さらに、
前記端末デバイスが、前記Ｕ個の第１のタイプのキャリアでの信頼性要求が第１の閾値以下であるサイドデータの伝送をキャンセルすると決定することを含む
ことを特徴とする請求項１７に記載の衝突解決方法。
【請求項１９】
前記サイドデータがＰＤＣＰに基づいてコピー伝送される第１のサイドデータ及び第２のサイドデータを含み、前記第２のサイドデータが前記第１のサイドデータのコピーデータである場合、
前記端末デバイスが、前記Ｕ個の第１のタイプのキャリアでサイドデータを優先的に伝送すると決定することは、
前記端末デバイスが、前記Ｕ個の第１のタイプのキャリアで前記第１のサイドデータを優先的に伝送すると決定することを含む
ことを特徴とする請求項１３〜１６のいずれか１項に記載の衝突解決方法。
【請求項２０】
前記方法は、さらに、
前記端末デバイスが、前記Ｕ個の第１のタイプのキャリアでの前記第２のサイドデータの伝送をキャンセルすると決定することを含む
ことを特徴とする請求項１９に記載の衝突解決方法。
【請求項２１】
端末間通信に応用される端末デバイスであって、
端末デバイスがＭ個の第１のタイプのキャリアでサイドデータを、Ｎ個の第２のタイプのキャリアで上りデータを同時に伝送する必要があり、Ｍ及びＮが正の整数であり、
前記端末デバイスが処理ユニットを含み、
前記処理ユニットは、前記Ｍ個の第１のタイプのキャリアで伝送されるサイドデータのパケット優先度ＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定するように構成される
ことを特徴とする端末デバイス。
【請求項２２】
前記Ｍ個の第１のタイプのキャリアにおいて少なくとも１つのサイドデータのＰＰＰＰが第１の閾値よりも小さい場合、
前記処理ユニットは、
前記Ｍ個の第１のタイプのキャリアでサイドデータを優先的に伝送すると決定するように構成される
ことを特徴とする請求項２１に記載の端末デバイス。
【請求項２３】
前記処理ユニットは、さらに、
前記第２のタイプのキャリアでの上りデータの伝送をキャンセルするように構成される
ことを特徴とする請求項２２に記載の端末デバイス。
【請求項２４】
前記Ｍ個の第１のタイプのキャリアでのサイドデータの伝送が完了した後、前記端末デバイスがさらに通信ユニットを含み、
通信ユニットは、Ｘ個の第２のタイプのキャリアで上りデータを伝送するように構成され、
前記Ｍ個の第１のタイプのキャリアで伝送されるサイドデータと、前記Ｘ個の第２のタイプのキャリアで伝送される上りデータとが使用される総送信電力が前記端末デバイスの最大送信電力の以下であり、ＸがＮの以下である
ことを特徴とする請求項２２に記載の端末デバイス。
【請求項２５】
前記処理ユニットは、
前記Ｍ個の第１のタイプのキャリアで信頼性要求が第１の閾値以上であるサイドデータを優先的に伝送すると決定するように構成される
ことを特徴とする請求項２２〜２４のいずれか１項に記載の端末デバイス。
【請求項２６】
前記処理ユニットは、さらに、前記Ｍ個の第１のタイプのキャリアでの信頼性要求が第１の閾値以下であるサイドデータの伝送をキャンセルすると決定するように構成される
ことを特徴とする請求項２５に記載の端末デバイス。
【請求項２７】
前記サイドデータがパケットデータコンバージェンスプロトコルＰＤＣＰに基づいてコピー伝送される第１のサイドデータ及び第２のサイドデータを含み、前記第２のサイドデータが前記第１のサイドデータのコピーデータである場合、
前記処理ユニットは、
前記Ｍ個の第１のタイプのキャリアで前記第１のサイドデータを優先的に伝送すると決定するように構成される
ことを特徴とする請求項２２〜２４のいずれか１項に記載の端末デバイス。
【請求項２８】
前記処理ユニットは、さらに、前記Ｍ個の第１のタイプのキャリアでの前記第２のサイドデータの伝送をキャンセルすると決定するように構成される
ことを特徴とする請求項２７に記載の端末デバイス。
【請求項２９】
前記Ｍ個の第１のタイプのキャリアにおいて少なくとも１つのサイドデータのＰＰＰＰが第１の閾値以上である場合、
前記処理ユニットは、
前記Ｎ個の第２のタイプのキャリアで上りデータを優先的に伝送すると決定するように構成される
ことを特徴とする請求項２１に記載の端末デバイス。
【請求項３０】
前記Ｍ個の第１のタイプのキャリアにおいてＰＰＰＰが第１の閾値よりも小さいサイドデータがない場合、
前記処理ユニットは、
前記Ｎ個の第２のタイプのキャリアで上りデータを優先的に伝送すると決定するように構成される
ことを特徴とする請求項２１に記載の端末デバイス。
【請求項３１】
前記処理ユニットは、さらに、
前記第１のタイプのキャリアでのサイドデータの伝送をキャンセルすると決定するように構成される
ことを特徴とする請求項２９又は３０に記載の端末デバイス。
【請求項３２】
前記Ｎ個の第２のタイプのキャリアでの上りデータの伝送が完了した後、前記端末デバイスが通信ユニットをさらに含み、
通信ユニットは、Ｙ個の第１のタイプのキャリアでサイドデータを伝送するように構成され、
前記Ｎ個の第２のタイプのキャリアで伝送される上りデータと前記Ｙ個の第１のタイプのキャリアで伝送されるサイドデータとが要する総送信電力が、前記端末デバイスの最大送信電力よりも小さく、ＹがＭ以下である
ことを特徴とする請求項２９又は３０に記載の端末デバイス。
【請求項３３】
Ｕ個の第１のタイプのキャリア内のサイドデータのＰＰＰＰが第１の閾値よりも小さく、ＵとＶの和がＭである場合、
前記処理ユニットは、
前記Ｕ個の第１のタイプのキャリアでサイドデータを優先的に伝送すると決定するように構成される
ことを特徴とする請求項２１に記載の端末デバイス。
【請求項３４】
前記処理ユニットは、さらに、
前記Ｎ個の第２のタイプのキャリアでの上りデータの伝送及びＶ個の第１のタイプのキャリアでのサイドデータの伝送をキャンセルするように構成される
ことを特徴とする請求項３３に記載の端末デバイス。
【請求項３５】
前記Ｕ個の第１のタイプのキャリアでのサイドデータの伝送が完了した後、前記端末デバイスがさらに通信ユニットを含み、
通信ユニットは、Ｋ個の第２のタイプのキャリアで上りデータを伝送するように構成される、
前記Ｕ個の第１のタイプのキャリアで伝送されるサイドデータと前記Ｋ個の第２のタイプのキャリアで伝送される上りデータとが使用される総送信電力が、前記端末デバイスの最大送信電力以下であり、ＫがＮ以下である
ことを特徴とする請求項３３に記載の端末デバイス。
【請求項３６】
前記Ｕ個の第１のタイプのキャリアでのサイドデータの伝送が完了した後、前記端末デバイスがさらに通信ユニットを含み、
通信ユニットは、Ｑ個の第２のタイプのキャリアで上りデータを伝送し、Ｓ個の第１のタイプのキャリアでサイドデータを伝送するように構成される、
前記Ｕ個の第１のタイプのキャリアで伝送されるサイドデータと、前記Ｑ個の第２のタイプのキャリアで伝送される上りデータと、前記Ｓ個の第１のタイプのキャリアで伝送されるサイドデータとが使用される総送信電力が、前記端末デバイスの最大送信電力以下であり、ＱがＮ以下であり、ＳがＶ以下である
ことを特徴とする請求項３３に記載の端末デバイス。
【請求項３７】
前記処理ユニットは、
前記Ｕ個の第１のタイプのキャリアで信頼性要求が第１の閾値以上であるサイドデータを優先的に伝送すると決定するように構成される
ことを特徴とする請求項３３〜３６のいずれか１項に記載の端末デバイス。
【請求項３８】
前記処理ユニットは、さらに、前記Ｕ個の第１のタイプのキャリアでの信頼性要求が第１の閾値以下であるサイドデータの伝送をキャンセルすると決定するように構成される
ことを特徴とする請求項３７に記載の端末デバイス。
【請求項３９】
前記サイドデータがＰＤＣＰに基づいてコピー伝送される第１のサイドデータ及び第２のサイドデータを含み、前記第２のサイドデータが前記第１のサイドデータのコピーデータである場合、
前記処理ユニットは、
前記Ｕ個の第１のタイプのキャリアで前記第１のサイドデータを優先的に伝送すると決定するように構成される
ことを特徴とする請求項３３〜３６のいずれか１項に記載の端末デバイス。
【請求項４０】
前記処理ユニットは、さらに、前記Ｕ個の第１のタイプのキャリアでの前記第２のサイドデータの伝送をキャンセルすると決定するように構成される
ことを特徴とする請求項３９に記載の端末デバイス。
【発明の詳細な説明】
【関連出願の参照】
【０００１】
本願は、２０１７年１２月２８日に中国特許庁に出願され、出願番号ＰＣＴ / ＣＮ２０１７／１１９５９４、出願名「衝突解決方法及び端末デバイス」のＰＣＴ特許出願の優先権、及び２０１８年２月７日に中国特許庁に出願され、出願番号ＰＣＴ / ＣＮ２０１８／０７５６９３、出願名「衝突解決方法及び端末デバイス」のＰＣＴ特許出願の優先権を主張し、その全体は、参照により本願に組み込まれる。
【技術分野】
【０００２】
本願は、通信分野に関し、具体的に、衝突解決方法及び端末デバイスに関する。
【背景技術】
【０００３】
リリース（Ｒｅｌｅａｓｅ）１４では、端末デバイス(例えば、車載端末)は、上りリンク( Ｕｐｌｉｎｋ )上でネットワークデバイスとのデータ伝送を行い、サイドリンク( Ｓｉｄｅｌｉｎｋ )上で他の端末とのデータ伝送を行うことができ、上りリンク伝送とサイドリンク伝送とが時間的に重なる場合、測定リンクトラフィックの優先度に従って電力割り当てを行う。例えば、ネットワークは、データ優先度( ＰｒｏＳｅ Ｐｅｒ−Ｐａｃｋｅｔ Ｐｒｉｏｒｉｔｙ、ＰＰＰＰ )の閾値(予め構成された優先閾値でもよい)を設定することができ、サイドリンクデータのＰＰＰＰが閾値を上回る場合、端末は、サイドデータの伝送を保証し、上りリンク伝送を破棄するか、または上りリンクのデータの電力を低減し、サイドリンクのデータのＰＰＰＰがこの閾値以下の場合、端末は上りデータの伝送を保証し、サイドデータ伝送を破棄するか、サイドデータの電力を下げる。しかしながら、上りリンク伝送とサイドリンク伝送との時間的重複(衝突)に対処するこの方法は、Ｒｅｌｅａｓｅ１５、及びその後のリリースにおけるデータ伝送の要件を満たすことができない。
【発明の概要】
【０００４】
本願の実施例は、上りリンク伝送とサイドリンク伝送との時間的な衝突が発生した場合に、端末デバイスが、サイドリンク上のデータのＰＰＰＰと閾値とに基づいてデータ伝送の衝突を解決することができ、それによって、Ｒｅｌｅａｓｅ１５、および後続のリリースにおけるデータ伝送の要件を満たす衝突解決方法および端末デバイスを提供する。
【０００５】
第１の態様として、本願の実施例は衝突解決方法を提供し、前記方法は端末間通信に応用され、端末デバイスがＭ個の第１のタイプのキャリアでサイドデータを、Ｎ個の第２のタイプのキャリアで上りデータを同時に伝送する必要があり、Ｍ及びＮが正の整数であり、
前記方法は、さらに、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することを含む。
【０００６】
任意選択で、第１の閾値は、端末デバイスに予め設定されたものであり、例えば、プロトコルを介して端末デバイスに予め設定され、ネットワークデバイスが端末デバイスに動的に構成され、または端末デバイス自体によって構成されてもよい。
【０００７】
そして、本願の実施例における衝突解決方法では、端末デバイスは、Ｍ個の第１のタイプのキャリアでサイドデータを、Ｎ個の第２のタイプのキャリアで上りデータを同時に伝送する必要がある場合、Ｍ個の第１のタイプのキャリアで伝送されるサイドデータのＰＰＰＰ及び第１の閾値に基づいて、Ｍ個の第１のタイプのキャリアの一部又は全部のキャリアでサイドデータを優先的に伝送すると決定し、又は、Ｎ個の第２のタイプのキャリアの一部又は全部のキャリアで上りデータを優先的に伝送すると決定することで、端末デバイスの上りリンク伝送とサイドリンク伝送との時間的な衝突を解決することができる。
【０００８】
任意選択で、第１の態様の実現可能な形態において、前記Ｍ個の第１のタイプのキャリアにおいて少なくとも１つのサイドデータのＰＰＰＰが第１の閾値よりも小さい場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが前記Ｍ個の第１のタイプのキャリアでサイドデータを優先的に伝送すると決定することを含む。
【０００９】
そして、本願の実施例における衝突解決方法では、Ｍ個の第１のタイプのキャリアに少なくとも１つのサイドデータのＰＰＰＰが第１の閾値より小さい場合、端末デバイスは、Ｍ個の第１のタイプのキャリアの一部又は全部のキャリアでサイドデータを優先的に伝送すると決定する。
【００１０】
任意選択で、第１の態様の実現可能な形態において、前記方法は、さらに、
前記端末デバイスが前記第２のタイプのキャリアでの上りデータの伝送をキャンセルすることを含む。
【００１１】
任意選択で、第１の態様の実現可能な形態において、前記Ｍ個の第１のタイプのキャリアでのサイドデータの伝送が完了した後、前記方法は、さらに、
前記端末デバイスがＸ個の第２のタイプのキャリアで上りデータを伝送することを含み、ここで、
前記Ｍ個の第１のタイプのキャリアで伝送されるサイドデータと、前記Ｘ個の第２のタイプのキャリアで伝送される上りデータとが使用される総送信電力が前記端末デバイスの最大送信電力の以下であり、ＸがＮの以下である。
【００１２】
任意選択で、第１の態様の実現可能な形態において、前記端末デバイスが前記Ｍ個の第１のタイプのキャリアでサイドデータを優先的に伝送すると決定することは、
前記端末デバイスは、前記Ｍ個の第１のタイプのキャリアで信頼性要求が第１の閾値以上であるサイドデータを優先的に伝送すると決定する。
【００１３】
なお、信頼性要求が第１の閾値以上であるサイドデータは、信頼性要求が第１の閾値よりも大きいサイドデータと理解されてもよいし、信頼性要求が第１の閾値以上であるサイドデータと理解されてもよい。
【００１４】
任意選択で、第１の閾値は、端末デバイスに予め設定されたものであり、例えば、プロトコルを介して端末デバイスに予め設定され、ネットワークデバイスが端末デバイスに動的に構成され、または端末デバイス自体によって構成されてもよい。
【００１５】
なお、サイドデータの信頼性要求は、単一パケット信頼性要求（ＰｒｏＳｅ Ｐｅｒ-Ｐａｃｋｅｔ Ｒｅｌｉａｂｉｌｉｔｙ、ＰＰＰＲ）で示すことができる。
【００１６】
そして、信頼性要求の高いサイドデータに対する伝送を確保することができる。
【００１７】
任意選択で、第１の態様の実現可能な形態において、前記方法は、さらに、
前記端末デバイスは、信頼性要求が第１の閾値以下であるサイドデータの前記Ｍ個の第１のタイプのキャリアでの伝送をキャンセルすると決定することを含む。
【００１８】
任意選択で、第１の態様の実現可能な形態において、前記方法は、さらに、
前記端末デバイスは、信頼性要求が第１の閾値以上であるサイドデータの伝送が完了すると決定した後、次に、前記Ｍ個の第１のタイプのキャリアで信頼性要求が第１の閾値以下であるサイドデータを伝送する。
【００１９】
任意選択で、第１の態様の実現可能な形態において、前記サイドデータがパケットデータコンバージェンスプロトコル（Ｐａｃｋｅｔ Ｄａｔａ Ｃｏｎｖｅｒｇｅｎｃｅ Ｐｒｏｔｏｃｏｌ、ＰＤＣＰ）に基づいてコピー伝送される第１のサイドデータ及び第２のサイドデータを含み、ここで、前記第２のサイドデータが前記第１のサイドデータのコピーデータである場合、
前記端末デバイスが前記Ｍ個の第１のタイプのキャリアでサイドデータを優先的に伝送すると決定することは、
前記端末デバイスが、前記Ｍ個の第１のタイプのキャリアで前記第１のサイドデータを優先的に伝送すると決定することを含む。
【００２０】
任意選択で、第１の態様の実現可能な形態において、前記方法は、さらに、
前記端末デバイスが、前記Ｍ個の第１のタイプのキャリアでの前記第２のサイドデータの伝送をキャンセルすると決定することを含む。
【００２１】
なお、第１のサイドデータおよび第２のサイドデータは、ＰＤＣＰプロトコルデータユニット( Ｐｒｏｔｏｃｏｌ Ｄａｔａ Ｕｎｉｔ、ＰＤＵ )であり、このＰＤＣＰ ＰＤＵに基づいて端末デバイスが対応する無線リンクレイヤ制御プロトコル( Ｒａｄｉｏ Ｌｉｎｋ Ｃｏｎｔｒｏｌ、ＲＬＣ ) ＰＤＵ、およびメディアアクセス制御( Ｍｅｄｉａ Ａｃｃｅｓｓ Ｃｏｎｔｒｏｌ、ＭＡＣ ) ＰＤＵを生成する。また、ＰＤＣＰでコピー伝送される２つの論理チャネルにおいて、第１及び第２のサイドデータの決定は、端末デバイスで決定されるか、又はネットワークデバイスで構成される。
【００２２】
したがって、ＰＤＣＰに基づいてサイドデータをコピー伝送する際に、優先的に１つの伝送を確保することができ、データのコピー伝送を確保しつつ、消費電力を低減することができる。
【００２３】
任意選択で、第１の態様の実現可能な形態において、前記Ｍ個の第１のタイプのキャリアにおいて少なくとも１つのサイドデータのＰＰＰＰが第１の閾値以上である場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｎ個の第２のタイプのキャリアで上りデータを優先的に伝送すると決定することを含む。
【００２４】
したがって、本願の実施例の衝突解決方法では、Ｍ個の第１のタイプのキャリアのうち少なくとも１つのサイドデータのＰＰＰＰが第１の閾値以上である場合、端末デバイスは、Ｎ個の第２のタイプのキャリアのうち一部または全部のキャリアで優先的に上りデータを送信すると決定することができる。
【００２５】
任意選択で、第１の態様の実現可能な形態において、前記Ｍ個の第１のタイプのキャリアに少なくとも１つのサイドデータのＰＰＰＰが第１の閾値より大きい場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｎ個の第２のタイプのキャリアで上りデータを優先的に伝送すると決定することを含む。
【００２６】
そして、本願の実施例における衝突解決方法では、Ｍ個の第１のタイプのキャリアに少なくとも１つのサイドデータのＰＰＰＰが第１の閾値よりも大きい場合、端末デバイスは、Ｎ個の第２のタイプのキャリアの一部又は全部のキャリアで上りデータを優先的に伝送すると決定することができる。
【００２７】
任意選択で、第１の態様の実現可能な形態において、前記Ｍ個の第１のタイプのキャリアにおいてＰＰＰＰが第１の閾値よりも小さいサイドデータがない場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｎ個の第２のタイプのキャリアで上りデータを優先的に伝送すると決定することを含む。
【００２８】
そして、本願の実施例における衝突解決方法において、Ｍ個の第１のタイプのキャリアにサイドデータのＰＰＰＰが第１の閾値よりも小さいサイドデータがない場合、端末デバイスは、Ｎ個の第２のタイプのキャリアの一部又は全部のキャリアで上りデータを優先的に伝送すると決定することができる。
【００２９】
任意選択で、第１の態様の実現可能な形態において、前記方法は、さらに、
前記端末デバイスが前記第１のタイプのキャリアでのサイドデータの伝送をキャンセルすることを含む。
【００３０】
任意選択で、第１の態様の実現可能な形態において、前記Ｎ個の第２のタイプのキャリアでの上りデータの伝送が完了した後、前記方法は、さらに、
前記端末デバイスがＹ個の第１のタイプのキャリアでサイドデータを伝送することを含み、ここで、
前記Ｎ個の第２のタイプのキャリアで伝送される上りデータと前記Ｙ個の第１のタイプのキャリアで伝送されるサイドデータとが要する総送信電力が、前記端末デバイスの最大送信電力よりも小さく、ＹがＭ以下である。
【００３１】
任意選択で、第１の態様の実現可能な形態において、Ｕ個の第１のタイプのキャリア内のサイドデータのＰＰＰＰが第１の閾値よりも小さく、ＵとＶの和がＭである場合、
前記端末デバイスが前記Ｍ個の第１のタイプのキャリアで伝送されるサイドデータのＰＰＰＰ及び第１の閾値に基づいて、前記Ｍ個の第１のタイプのキャリアの一部又は全部のキャリアでサイドデータを優先的に伝送すると決定し、又は、前記Ｎ個の第２のタイプのキャリアの一部又は全部のキャリアで上りデータを優先的に伝送すると決定することは、
前記端末デバイスが、前記Ｕ個の第１のタイプのキャリアでサイドデータを優先的に伝送すると決定することを含む。
【００３２】
そして、本願の実施例における衝突解決方法では、Ｍ個の第１のタイプのキャリアにおいてＵ個の第１のタイプのキャリアのサイドデータのＰＰＰＰが第１の閾値よりも小さい場合、端末デバイスは、Ｕ個の第１のタイプのキャリアの一部又は全部のキャリアでサイドデータを優先的に伝送すると決定することができる。
【００３３】
任意選択で、第１の態様の実現可能な形態において、前記方法は、さらに、
前記端末デバイスが、前記Ｎ個の第２のタイプのキャリアでの上りデータの伝送及びＶ個の第１のタイプのキャリアでのサイドデータの伝送をキャンセルすることを含む。
【００３４】
任意選択で、第１の態様の実現可能な形態において、前記Ｕ個の第１のタイプのキャリアでのサイドデータの伝送が完了した後、前記方法は、さらに、
前記端末デバイスがＫ個の第２のタイプのキャリアで上りデータを伝送することを含み、ここで、
前記Ｕ個の第１のタイプのキャリアで伝送されるサイドデータと前記Ｋ個の第２のタイプのキャリアで伝送される上りデータとが使用される総送信電力が、前記端末デバイスの最大送信電力以下であり、ＫがＮ以下である。
【００３５】
任意選択で、第１の態様の実現可能な形態において、前記Ｕ個の第１のタイプのキャリアでのサイドデータの伝送が完了した後、前記方法は、さらに、
前記端末デバイスがＱ個の第２のタイプのキャリアにおいて上りデータを伝送し、Ｓ個の第１のタイプのキャリアにおいてサイドデータを伝送することを含み、ここで、
前記Ｕ個の第１のタイプのキャリアで伝送されるサイドデータと、前記Ｑ個の第２のタイプのキャリアで伝送される上りデータと、前記Ｓ個の第１のタイプのキャリアで伝送されるサイドデータとが使用される総送信電力が、前記端末デバイスの最大送信電力以下であり、ＱがＮ以下であり、ＳがＶ以下である。
【００３６】
任意選択で、第１の態様の実現可能な形態において、前記端末デバイスが、前記Ｕ個の第１のタイプのキャリアでサイドデータを優先的に伝送すると決定することは、
前記端末デバイスが、信頼性要求が第１の閾値以上であるサイドデータを前記Ｕ個の第１のタイプのキャリアで優先的に伝送すると決定することを含む。
【００３７】
任意選択で、第１の態様の実現可能な形態において、前記方法は、さらに、
前記端末デバイスが、前記Ｕ個の第１のタイプのキャリアでの信頼性要求が第１の閾値以下であるサイドデータの伝送をキャンセルすると決定することを含む。
【００３８】
任意選択で、第１の態様の実現可能な形態において、前記サイドデータがＰＤＣＰに基づいてコピー伝送される第１のサイドデータ及び第２のサイドデータを含み、ここで、前記第２のサイドデータが前記第１のサイドデータのコピーデータである場合、
前記端末デバイスが、前記Ｕ個の第１のタイプのキャリアでサイドデータを優先的に伝送すると決定することは、
前記端末デバイスが、前記Ｕ個の第１のタイプのキャリアで前記第１のサイドデータを優先的に伝送すると決定することを含む。
【００３９】
任意選択で、第１の態様の実現可能な形態において、前記方法は、さらに、
前記端末デバイスが、前記Ｕ個の第１のタイプのキャリアでの前記第２のサイドデータの伝送をキャンセルすると決定することを含む。
【００４０】
第２の態様として、本願の実施例は、第１の態様または第１の態様の任意の実施例における方法を実行することができるモジュールまたはユニットを備える端末デバイスを提供する。
【００４１】
第３の態様として、プロセッサと、メモリと、通信インターフェースとを含む端末デバイスを提供する。プロセッサは、メモリおよび通信インターフェースに接続される。メモリは、命令を格納するために使用され、プロセッサは、命令を実行するために使用され、通信インターフェースは、プロセッサの制御下で他のネットワーク要素と通信するために使用される。プロセッサがメモリに記憶された命令を実行すると、プロセッサに、第１の態様または第１の態様の任意の可能な実装形態における方法を実行させる。
【００４２】
第４の態様は、コンピュータに、上述の態様に記載の方法を実行するための命令を指示するためのプログラムコードを記憶したコンピュータ記憶媒体を提供する。
【００４３】
第５の態様は、命令を備えるコンピュータプログラム製品を提供し、コンピュータ上で実行されると、コンピュータに、上記の態様に記載の方法を実行させる。
【図面の簡単な説明】
【００４４】
【図１】本願の実施例における応用シーンの模式図である。
【図２】本願の実施例における他の応用シーンの模式図である。
【図３】本願の実施例における衝突解決方法のフローチャートである。
【図４】本願の実施例における端末デバイスのブロック図である。
【図５】本願の実施例におけるシステムチップの構成図である。
【図６】本願の実施例における衝突解決デバイスのブロック図である。
【発明を実施するための形態】
【００４５】
以下、本願の実施例における技術的解決策を、本願の実施例における添付図面と併せて、明確かつ完全に説明する。
【００４６】
本発明の実施例の技術的解決策は、デバイスツーデバイス( Ｄｅｖｉｃｅ ｔｏ Ｄｅｖｉｃｅ、Ｄ２Ｄ )通信システム、例えば、ロングタームエボリューション( ＬＴＥ、Ｌｏｎｇ Ｔｅｒｍ Ｅｖｏｌｕｔｉｏｎ )に基づくＤ２Ｄ通信のためのカーネットシステムに適用可能である。従来のＬＴＥシステムにおける端末間の通信データがネットワークデバイス(例えば、基地局)を介して受信または送信される方式とは異なり、カーネットシステムは、端末間直接通信を採用し、したがって、より高いスペクトル効率およびより低い伝送遅延を有する。
【００４７】
任意選択で、カーネットシステムがベースとする通信システムは、全地球移動体通信( Ｇｌｏｂａｌ Ｓｙｓｔｅｍ ｏｆ Ｍｏｂｉｌｅ ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ＬＴＥシステム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ Ｄｉｖｉｓｉｏｎ Ｄｕｐｌｅｘ、ＴＤＤ )、汎用移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡX )通信システム、５Ｇ新規無線( Ｎｅｗ Ｒａｄｉｏ、ＮＲ )システムなどであり得る。
【００４８】
本発明の実施例における端末デバイスは、Ｄ２Ｄ通信を可能にする端末デバイスであってもよい。例えば、車載端末デバイスでもよいし、５Ｇネットワークにおける端末デバイスや、将来進化する公共地上移動通信ネットワーク( Ｐｕｂｌｉｃ Ｌａｎｄ Ｍｏｂｉｌｅ Ｎｅｔｗｏｒｋ、ＰＬＭＮ )における端末デバイスなどでもよく、本願実施例は限定されない。
【００４９】
図１及び図２は、本発明の実施例の応用シーンの模式図である。図１は、１つのネットワークデバイス及び２つの端末デバイスを例示的に示しているが、本発明の実施例における無線通信システムは、複数のネットワークデバイスを含んでもよく、各ネットワークデバイスのカバレージ内に他の数の端末デバイスを含んでもよく、本発明の実施例は、これに限定されない。
【００５０】
任意選択で、この無線通信システムは、移動管理エンティティ( Ｍｏｂｉｌｅ Ｍａｎａｇｅｍｅｎｔ Ｅｎｔｉｔｙ、ＭＭＥ )、サービングゲートウェイ( Ｓｅｒｖｉｎｇ Ｇａｔｅｗａｙ、Ｓ−ＧＷ )、パケットデータネットワークゲートウェイ( Ｐａｃｋｅｔ Ｄａｔａ Ｎｅｔｗｏｒｋ Ｇａｔｅｗａｙ、Ｐ−ＧＷ )などの他のネットワークエンティティをさらに含むことができ、または、この無線通信システムは、セッション管理機能( Ｓｅｓｓｉｏｎ Ｍａｎａｇｅｍｅｎｔ Ｆｕｎｃｔｉｏｎ、ＳＭＦ )、統合データ管理( Ｕｎｉｆｉｅｄ Ｄａｔａ Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )などの他のネットワークエンティティをさらに含むことができ、本願実施例はこれに限定されない。
【００５１】
具体的には、端末デバイス２０と端末デバイス３０は、Ｄ２Ｄ通信モードで通信可能であり、Ｄ２Ｄ通信を行う場合、端末デバイス２０と端末デバイス３０は、Ｄ２Ｄリンク、すなわち、サイドリンク ( Ｓｉｄｅｌｉｎｋ )上で直接通信する。例えば、図１または図２に示すように、端末デバイス２０と端末デバイス３０とは、サイドリンクで直接通信を行う。図１において、端末デバイス２０と端末デバイス３０とは、サイドリンクで通信し、その伝送リソースがネットワークデバイスにより割り当てられ、図２において、端末デバイス２０と端末デバイス３０との間はサイドリンク通信を行い、その伝送リリースが端末デバイスにより自律的に選択し、ネットワークデバイスが送信リソースを割り当てる必要がない。
【００５２】
Ｄ２Ｄ通信は、車両間通信( Ｖｅｈｉｃｌｅ ｔｏ Ｖｅｈｉｃｌｅ、略して「Ｖ２Ｖ」)又は車両-他のデバイス通信( Ｖｅｈｉｃｌｅ ｔｏ Ｅｖｅｒｙｔｈｉｎｇ、Ｖ２Ｘ )を指し得る。Ｖ２Ｘ通信において、Ｘは、限定ではないが、低速で移動する無線デバイス、高速で移動する車載デバイス、または無線送受信能力を有するネットワーク制御ノードなど、無線送受信能力を有する任意のデバイスを広く指すことができる。本発明の実施例は主にＶ２Ｘ通信のシーンに適用されるが、他のＤ２Ｄ通信シーンにも適用可能であり、本発明の実施例はこれに限定されない。
【００５３】
カーネットワークシステムにおいて、２種類の端末デバイスが存在し、車載端末( Ｖｅｈｉｃｌｅ Ｕｓｅｒ Ｅｑｕｉｐｍｅｎｔ、ＶＵＥ )や歩行者ハンディターミナル( Ｐｅｄｅｓｔｒｉａｎ Ｕｓｅｒ Ｅｑｕｉｐｍｅｎｔ、ＰＵＥ )などのリスニング機能を有する端末デバイスと、ＰＵＥなどのリスニング機能を有しない端末デバイスである。ＶＵＥは、より高い処理能力を有し、通常は車内のバッテリーによって給電されるが、ＰＵＥ処理能力は低く、電力消費を低減することもＰＵＥが考慮する必要がある主な要因であるので、既存のカーネットワークシステムでは、ＶＵＥは完全な受信能力およびリスニング能力を有すると考えられ、ＰＵＥは受信およびリスニング能力の一部を有するまたは有さないと考えられる。ＰＵＥが部分的なリスニング能力を有する場合、そのリソースの選択は、ＶＵＥと同様のリスニング手法を用いて、リスニング可能なリソースの部分で利用可能なリソースの選択を行うことができ、ＰＵＥがリスニング能力を有しない場合、ＰＵＥはリソースプール内の伝送リソースをランダムに選択する。
【００５４】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリーメモリ( Ｅｒａｓａｂｌｅ Ｐｒｏｇｒａｍｍａｂｌｅ Ｒｅａｄ-Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００５５】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５６】
図３は、本願の実施例における衝突解決方法２００の概略フローチャートである。図３に示すように、この方法２００は端末間通信に応用され、この方法２００が端末デバイスによって実行され、この端末デバイスが図１又は図２に示す端末デバイスであってもよく、なお、端末デバイスがＭ個の第１のタイプのキャリアでサイドデータを、Ｎ個の第２のタイプのキャリアで上りデータを同時に伝送する必要があり、Ｍ及びＮが正の整数であり、該方法は、以下の内容を含む。
【００５７】
２１０において、該端末デバイスは、該Ｍ個の第１のタイプのキャリアで伝送されるサイドデータのＰＰＰＰ及び第１の閾値に基づいて、該Ｍ個の第１のタイプのキャリアの一部又は全部のキャリアでサイドデータを優先的に伝送すると決定し、又は、該Ｎ個の第２のタイプのキャリアの一部又は全部のキャリアで上りデータを優先的に伝送すると決定する。
【００５８】
任意選択で、この第１の閾値は、ネットワークデバイスにより構成されてもよく、端末デバイスに予め構成されてもよい。
【００５９】
なお、第１の閾値は、実際の必要に応じて構成され得る。
【００６０】
任意選択で、第１のタイプのキャリアは、ＰＣ５キャリアであり、第２のタイプのキャリアは、Ｕｕキャリアであり得る。
【００６１】
なお、ＰＣ５キャリアやＵｕキャリアにおける端末デバイスのデータ伝送に用いられる送信電力は、端末デバイスの最大送信電力以下である必要がある。
【００６２】
具体的に、該Ｍ個の第１のタイプのキャリアにおいて少なくとも１つのサイドデータのＰＰＰＰが第１の閾値により小さい場合、該端末デバイスは、該Ｍ個の第１のタイプのキャリアでサイドデータを優先的に伝送すると決定する。
【００６３】
例えば、端末デバイスは、時刻Ｈにおいて、Ｍ個の第１のタイプのキャリア上でサイドデータを、及びＮ個の第２のタイプキャリア上で上りデータを伝送する必要があり、Ｍ個の第１のタイプのキャリアの少なくとも１つのサイドデータのＰＰＰＰが第１の閾値より小さい場合、Ｍ個の第１のタイプのキャリア上で優先的にサイドデータを伝送すると決定する。
【００６４】
なお、データのＰＰＰＰ値が小さいほど、データは高い優先度を有する
例えば、データａのＰＰＰＰの値が１であり、データｂのＰＰＰＰの値が５である場合、データａの方がデータｂよりも優先度が高い。
【００６５】
任意選択で、該端末デバイスは、該Ｍ個の第１のタイプのキャリアでサイドデータを優先的に伝送すると決定する場合、該第２のタイプのキャリアでの上りデータの伝送をキャンセルすることができる。
【００６６】
例えば、Ｍ個の第１のタイプのキャリアにおいてサイドデータを伝送して要する総送信電力が該端末デバイスの最大送信電力に等しい場合、該端末デバイスは、該Ｍ個の第１のタイプのキャリアでサイドデータを伝送する場合、該第２のタイプのキャリアでの上りデータの伝送をキャンセルすることができる。
【００６７】
任意選択で、該Ｍ個の第１のタイプのキャリアでのサイドデータの伝送が完了した後、該端末デバイスは、Ｘ個の第２のタイプのキャリアで上りデータを伝送し、ここで、
該Ｍ個の第１のタイプのキャリアで伝送されるサイドデータと該Ｘ個の第２のタイプのキャリアで伝送される上りデータとが使用する総送信電力が、該端末デバイスの最大送信電力以下であり、ＸがＮの以下である。
【００６８】
なお、ＸがＮと同様に、正の整数である。
【００６９】
任意選択で、本願の実施例において、該端末デバイスは、該Ｍ個の第１のタイプのキャリアでサイドデータを優先的に伝送すると決定する場合、前記Ｍ個の第１のタイプのキャリアで信頼性要求が第１の閾値以上であるサイドデータを優先的に伝送すると決定することができる。
【００７０】
なお、信頼性要求が第１の閾値以上であるサイドデータは、信頼性要求が第１の閾値よりも大きいサイドデータと理解されてもよいし、信頼性要求が第１の閾値以上であるサイドデータと理解されてもよい。
【００７１】
任意選択で、第１の閾値は、端末デバイスに予め設定されたものであり、例えば、プロトコルを介して端末デバイスに予め設定され、ネットワークデバイスが端末デバイスに動的に構成され、または端末デバイス自体によって構成されてもよい。
【００７２】
なお、該第１の閾値は、実際に応じて構成されてもよい。
【００７３】
なお、サイドデータの信頼性要求は、ＰＰＰＲで示すことができる。
【００７４】
そして、信頼性要求の高いサイドデータに対する伝送を確保することができる。
【００７５】
任意選択で、例とし、該端末デバイスは、該Ｍ個の第１のタイプのキャリアでサイドデータを優先的に伝送すると決定する場合、前記端末デバイスは、前記Ｍ個の第１のタイプのキャリアで信頼性要求が第１の閾値以上であるサイドデータを優先的に伝送し、前記Ｍ個の第１のタイプのキャリアでの信頼性要求が第１の閾値以下であるサイドデータの伝送をキャンセルすると決定する。
【００７６】
任意選択で、例とし、該端末デバイスは、該Ｍ個の第１のタイプのキャリアでサイドデータを優先的に伝送すると決定する場合、信頼性要求が第１の閾値以上であるサイドデータの伝送が完了すると決定した後、前記Ｍ個の第１のタイプのキャリアで信頼性要求が第１の閾値以下のサイドデータを伝送することができる。
【００７７】
任意選択で、前記サイドデータがＰＤＣＰに基づいてコピー伝送される第１のサイドデータ及び第２のサイドデータを含み、ここで、前記第２のサイドデータが前記第１のサイドデータのコピーデータである。前記端末デバイスは、前記Ｍ個の第１のタイプのキャリアで前記第１のサイドデータを優先的に伝送すると決定することができる。そして、ＰＤＣＰに基づいてサイドデータがコピー伝送される場合、１つのサイドデータの伝送を優先的に確保することで、コピーデータの伝送を確保しつつ、消費電力を低減することができる。
【００７８】
任意選択で、前記端末デバイスが前記Ｍ個の第１のタイプのキャリアで前記第１のサイドデータを優先的に伝送すると決定する場合、前記方法は、さらに、
前記端末デバイスが、前記Ｍ個の第１のタイプのキャリアでの前記第２のサイドデータの伝送をキャンセルすると決定することを含む。
【００７９】
なお、前記第１のサイドデータ及び前記第２のサイドデータはＰＤＣＰ ＰＤＵであり、当該ＰＤＣＰ ＰＤＵに基づいて端末デバイスが対応するＲＬＣ ＰＤＵを生成し、及び更にＭＡC ＰＤＵを生成する。また、ＰＤＣＰでコピー伝送される２つの論理チャネルにおいて、第１及び第２のサイドデータの決定は、端末デバイスで決定されるか、又はネットワークデバイスで構成される。
【００８０】
具体的に、該Ｍ個の第１のタイプのキャリアにおいて少なくとも１つのサイドデータのＰＰＰＰが第１の閾値以上である場合、該端末デバイスは、該Ｎ個の第２のタイプのキャリアで上りデータを優先的に伝送すると決定する。
【００８１】
具体的に、該Ｍ個の第１のタイプのキャリアにおいて少なくとも１つのサイドデータのＰＰＰＰが第１の閾値より大きい場合、該端末デバイスは、該Ｎ個の第２のタイプのキャリアで上りデータを優先的に伝送すると決定する。
【００８２】
具体的に、該Ｍ個の第１のタイプのキャリアにおいてサイドデータのＰＰＰＰが第１の閾値よりも小さいサイドデータがない場合、該端末デバイスは、該Ｎ個の第２のタイプのキャリアで上りデータを優先的に伝送すると決定する。
【００８３】
任意選択で、該端末デバイスは、該Ｎ個の第２のタイプのキャリアで上りデータを優先的に伝送すると決定する場合、該第１のタイプのキャリアでのサイドデータの伝送をキャンセルすることができる。
【００８４】
例えば、Ｎ個の第２のタイプのキャリアで上りデータの伝送が使用される総送信電力が該端末デバイスの最大送信電力に等しい場合、該端末デバイスは、該Ｎ個の第２のタイプのキャリアで上りデータを伝送する時に、該第１のタイプのキャリアでのサイドデータの伝送をキャンセルすることができる。
【００８５】
任意選択で、該Ｎ個の第２のタイプのキャリアでの上りデータの伝送が完了した後、該端末デバイスは、Ｙ個の第１のタイプのキャリアでサイドデータを伝送し、ここで、
該Ｎ個の第２のタイプのキャリアで伝送される上りデータと該Ｙ個の第１のタイプのキャリアで伝送されるサイドデータと要する総送信電力が、該端末デバイスの最大送信電力より小さく、ＹがＭ以下である。
【００８６】
なお、ＹがＭと同様、正の整数である。
【００８７】
具体的に、Ｕ個の第１のタイプのキャリア内のサイドデータのＰＰＰＰが第１の閾値よりも小さく、ＵとＶの和がＭである場合、該端末デバイスは、該Ｕ個の第１のタイプのキャリアでサイドデータを優先的に伝送すると決定する。
【００８８】
任意選択で、端末デバイスは、該Ｕ個の第１のタイプのキャリアが第１の優先度を有し、該Ｎ個の第２のタイプのキャリアが第２の優先度を有し、該Ｖ個の第１のタイプのキャリアが第３の優先度を有すると決定し、ここで、該第１の優先度>該第２の優先度≧該第３の優先度である。
【００８９】
任意選択で、該端末デバイスは、該Ｕ個の第１のタイプのキャリアでサイドデータを優先的に伝送すると決定する場合、該Ｎ個の第２のタイプのキャリアでの上りデータの伝送及びＶ個の第１のタイプのキャリアでのサイドデータの伝送をキャンセルすることができる。
【００９０】
なお、ＵとＶがＭと同様、正の整数である。
【００９１】
任意選択で、該Ｕ個の第１のタイプのキャリアでのサイドデータの伝送が完了した後、該端末デバイスは、Ｋ個の第２のタイプのキャリアで上りデータを伝送し、ここで、
該Ｕ個の第１のタイプのキャリアで伝送されるサイドデータと該Ｋ個の第２のタイプのキャリアで伝送される上りデータとが使用される総送信電力が、該端末デバ該端末デバイスの最大送信電力より小さく、ＫがＮ以下であり、
なお、ＫがＮと同様、正の整数である。
【００９２】
任意選択で、該Ｕ個の第１のタイプのキャリアでのサイドデータの伝送が完了した後、該端末デバイスは、Ｑ個の第２のタイプのキャリアで上りデータを伝送し、Ｓ個の第１のタイプのキャリアでサイドデータを伝送し、ここで、
該Ｕ個の第１のタイプのキャリアで伝送されるサイドデータと、該Ｑ個の第２のタイプのキャリアで伝送される上りデータと、該Ｓ個の第１のタイプのキャリアで伝送されるサイドデータと使用される総送信電力が、該端末デバイスの最大送信電力以下であり、ＱがＮ以下であり、ＳがＶ以下である。
【００９３】
なお、ＱがＮと同様、正の整数であり、ＳがＭと同様、正の整数である。
【００９４】
任意選択で、該端末デバイスは、該Ｕ個の第１のタイプのキャリアでサイドデータを優先的に伝送すると決定する場合、前記Ｕ個の第１のタイプのキャリアで信頼性要求が第１の閾値以上であるサイドデータを優先的に伝送すると決定することができる。
【００９５】
任意選択で、該端末デバイスは、該Ｕ個の第１のタイプのキャリアでサイドデータを優先的に伝送すると決定する場合、前記Ｕ個の第１のタイプのキャリアでの信頼性要求が第１の閾値以下であるサイドデータの伝送をキャンセルすると決定する。
【００９６】
任意選択で、前記サイドデータがＰＤＣＰに基づいてコピー伝送される第１のサイドデータ及び第２のサイドデータを含み、ここで、前記第２のサイドデータが前記第１のサイドデータのコピーデータである。前記端末デバイスは、前記Ｕ個の第１のタイプのキャリアで前記第１のサイドデータを優先的に伝送すると決定することができる。したがって、ＰＤＣＰに基づいてサイドデータをコピー伝送する際に、優先的に１つのサイドデータの伝送を確保することができ、コピーデータの伝送を確保しつつ、消費電力を低減することができる。
【００９７】
任意選択で、前記端末デバイスが前記Ｕ個の第１のタイプのキャリアで前記第１のサイドデータを優先的に伝送すると決定する場合、前記方法は、さらに、
前記端末デバイスが、前記Ｕ個の第１のタイプのキャリアでの前記第２のサイドデータの伝送をキャンセルすると決定することを含む。
【００９８】
なお、前記第１のサイドデータ及び前記第２のサイドデータはＰＤＣＰ ＰＤＵであり、該ＰＤＣＰ ＰＤＵに基づいて端末デバイスが対応するＲＬＣ ＰＤＵを生成し、及び更にＭＡC ＰＤＵを生成する。また、ＰＤＣＰでコピー伝送する２つの論理チャネルにおいて、第１及び第２のサイドデータの決定は、端末デバイスで決定されるか、又はネットワークデバイスで構成される。
【００９９】
そして、本願の実施例における衝突解決方法では、端末デバイスは、Ｍ個の第１のタイプのキャリアでサイドデータを、Ｎ個の第２のタイプのキャリアで上りデータを同時に伝送する必要がある場合、Ｍ個の第１のタイプのキャリアで伝送されるサイドデータのＰＰＰＰ及び第１の閾値に基づいて、Ｍ個の第１のタイプのキャリアの一部又は全部のキャリアでサイドデータを優先的に伝送し、又は、Ｎ個の第２のタイプのキャリアの一部又は全部のキャリアで上りデータを優先的に伝送すると決定することで、端末デバイスの上りリンク伝送とサイドリンク伝送との時間的な衝突を解決することができる。
【０１００】
図４は本願の実施例における端末デバイス３００のブロック図である。図４に示すように、該端末デバイス３００が端末間通信に応用され、該端末デバイス３００がＭ個の第１のタイプのキャリアでサイドデータを、Ｎ個の第２のタイプのキャリアで上りデータを同時伝送する必要があり、Ｍ及びＮが正の整数であり、該端末デバイス３００は、処理ユニット３１０を含み、
処理ユニット３１０は、該Ｍ個の第１のタイプのキャリアで伝送されるサイドデータのＰＰＰＰ及び第１の閾値に基づいて、該Ｍ個の第１のタイプのキャリアの一部又は全部のキャリアでサイドデータを優先的に伝送すると決定し、又は、該Ｎ個の第２のタイプのキャリアの一部又は全部のキャリアで上りデータを優先的に伝送すると決定するように構成される。
【０１０１】
任意選択で、該Ｍ個の第１のタイプのキャリアに少なくとも１つのサイドデータのＰＰＰＰが第１の閾値より小さい場合、
該処理ユニット３１０は、具体的に、
該Ｍ個の第１のタイプのキャリアでサイドデータを優先的に伝送すると決定するように構成される。
【０１０２】
任意選択で、該処理ユニット３１０は、さらに、
該第２のタイプのキャリアでの上りデータの伝送をキャンセルするように構成される。
【０１０３】
任意選択で、該Ｍ個の第１のタイプのキャリアでのサイドデータの伝送が完了した後、該端末デバイス３００がさらに通信ユニット３２０を含み、
通信ユニット３２０は、Ｘ個の第２のタイプのキャリアで上りデータを伝送するように構成される、ここで、
該Ｍ個の第１のタイプのキャリアで伝送されるサイドデータと該Ｘ個の第２のタイプのキャリアで伝送される上りデータとが使用される総送信電力が、該端末デバイスの最大送信電力以下であり、ＸがＮの以下である。
【０１０４】
任意選択で、前記処理ユニット３１０は、具体的に、
前記Ｍ個の第１のタイプのキャリアで信頼性要求が第１の閾値以上であるサイドデータを優先的に伝送すると決定するように構成される。
【０１０５】
任意選択で、前記処理ユニット３１０は、さらに、前記Ｍ個の第１のタイプのキャリアでの信頼性要求が第１の閾値以下であるサイドデータの伝送をキャンセルすると決定するように構成される。
【０１０６】
任意選択で、前記サイドデータがＰＤＣＰに基づいてコピー伝送される第１のサイドデータ及び第２のサイドデータを含み、ここで、前記第２のサイドデータが前記第１のサイドデータのコピーデータである場合、
前記処理ユニット３１０は、具体的に、
前記Ｍ個の第１のタイプのキャリアで前記第１のサイドデータを優先的に伝送すると決定するように構成される。
【０１０７】
任意選択で、前記処理ユニット３１０は、さらに、前記Ｍ個の第１のタイプのキャリアでの前記第２のサイドデータの伝送をキャンセルすると決定するように構成される。
【０１０８】
任意選択で、該Ｍ個の第１のタイプのキャリアに少なくとも１つのサイドデータのＰＰＰＰが第１の閾値以上である場合、
該処理ユニット３１０は、具体的に、
該Ｎ個の第２のタイプのキャリアで上りデータを優先的に伝送すると決定するように構成される。
【０１０９】
任意選択で、該Ｍ個の第１のタイプのキャリアにＰＰＰＰが第１の閾値より小さいサイドデータがない場合、
該処理ユニット３１０は、具体的に、
該Ｎ個の第２のタイプのキャリアで上りデータを優先的に伝送すると決定するように構成される。
【０１１０】
任意選択で、該処理ユニット３１０は、さらに、
該第１のタイプのキャリアでのサイドデータの伝送をキャンセルするように構成される。
【０１１１】
任意選択で、該Ｎ個の第２のタイプのキャリアでの上りデータの伝送が完了した後、該端末デバイス３００が通信ユニット３２０を含み、
通信ユニット３２０は、Ｙ個の第１のタイプのキャリアでサイドデータを伝送するように構成され、ここで、
該Ｎ個の第２のタイプのキャリアで伝送される上りデータと該Ｙ個の第１のタイプのキャリアで伝送されるサイドデータとが要する総送信電力が、該端末デバイスの最大送信電力よりも小さく、ＹがＭ以下である。
【０１１２】
任意選択で、Ｕ個の第１のタイプのキャリア内のサイドデータのＰＰＰＰが第１の閾値よりも小さく、ＵとＶの和がＭである場合、
該処理ユニット３１０は、具体的に、
該Ｕ個の第１のタイプのキャリアでサイドデータを優先的に伝送すると決定するように構成される。
【０１１３】
任意選択で、該処理ユニットは、さらに、
該Ｎ個の第２のタイプのキャリアでの上りデータの伝送及びＶ個の第１のタイプのキャリアでのサイドデータの伝送をキャンセルするように構成される。
【０１１４】
任意選択で、該Ｕ個の第１のタイプのキャリアでのサイドデータの伝送が完了した後、該端末デバイス３００が、通信ユニット３２０をさらに含み、
通信ユニット３２０は、Ｋ個の第２のタイプのキャリアで上りデータを伝送するように構成され、ここで、
該Ｕ個の第１のタイプのキャリアで伝送されるサイドデータと該Ｋ個の第２のタイプのキャリアで伝送される上りデータとが使用される総送信電力が、該端末デバイスの最大送信電力以下であり、ＫがＮ以下である。
【０１１５】
任意選択で、該Ｕ個の第１のタイプのキャリアでのサイドデータの伝送が完了した後、該端末デバイス３００がさらに通信ユニット３２０を含み
通信ユニット３２０は、Ｑ個の第２のタイプのキャリアで上りデータを伝送し、Ｓ個の第１のタイプのキャリアでサイドデータを伝送するように構成される、ここで、
該Ｕ個の第１のタイプのキャリアで伝送されるサイドデータと、該Ｑ個の第２のタイプのキャリアで伝送される上りデータと、該Ｓ個の第１のタイプのキャリアで伝送されるサイドデータとが使用される総送信電力が、該端末デバイスの最大送信電力以下であり、ＱがＮ以下であり、ＳがＶ以下である。
【０１１６】
任意選択で、前記処理ユニット３１０は、具体的に、
前記Ｕ個の第１のタイプのキャリアで信頼性要求が第１の閾値以上であるサイドデータを優先的に伝送すると決定するように構成される。
【０１１７】
任意選択で、前記処理ユニット３１０は、さらに、前記Ｕ個の第１のタイプのキャリアでの信頼性要求が第１の閾値以下であるサイドデータの伝送をキャンセルすると決定するように構成される。
【０１１８】
任意選択で、伝送される必要があるサイドデータは、ＰＤＣＰに基づいてコピー伝送される第１のサイドデータ及び第２のサイドデータであり、ここで、前記第２のサイドデータが前記第１のサイドデータのコピーデータである場合、
前記処理ユニット３１０は、具体的に、
前記Ｕ個の第１のタイプのキャリアで前記第１のサイドデータを優先的に伝送すると決定するように構成される。
【０１１９】
任意選択で、前記処理ユニット３１０は、さらに、前記Ｕ個の第１のタイプのキャリアでの前記第２のサイドデータの伝送をキャンセルすると決定するように構成される。
【０１２０】
なお、この端末デバイス３００は、方法の実施例における端末デバイスに対応するものであってもよく、方法の実施例における端末デバイスによって実施される対応する動作は、簡潔のために、ここで説明を省略する。
【０１２１】
図５は、本発明の実施例に係るシステムチップ４００の概略構成図である。図５のシステムチップ４００は、入力インターフェース４０１、出力インターフェース４０２、メモリ４０４内のコードを実行するためのプロセッサ４０３、及びメモリ４０４を含み、これらの間を内部通信接続線によって接続することができる。
【０１２２】
任意選択で、コードが実行されると、プロセッサ４０３は、方法の実施例において端末デバイスによって実行される方法を実施する。簡潔にするために、ここで説明を省略する。
【０１２３】
図６は、本発明の実施例による衝突解決デバイス５００の概略ブロック図である。図６に示されるように、デバイス５００は、プロセッサ５１０とメモリ５２０とを含む。ここで、該メモリ５２０はプログラムコードを記憶してもよく、該プロセッサ５１０は該メモリ５２０に記憶されたプログラムコードを実行してもよい。
【０１２４】
任意選択で、図６に示すように、デバイス５００は、プロセッサ５１０が外部と通信するように制御することができる送受信機５３０を含んでもよい。
【０１２５】
任意選択で、このプロセッサ５１０は、メモリ５２０に記憶されたプログラムコードを呼び出して、方法の実施例における端末デバイスの対応する動作を実行してもよく、簡潔のためにここでは詳しい説明を省略する。
【０１２６】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１２７】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ-Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１２８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１３０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１３１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１３２】
また、本発明の各実施例における各機能部は、１つの処理部に集積されてもよいし、各部は、物理的に別個に存在してもよいし、２つ以上の部が１つの部に集積されてもよい。
【０１３３】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ-Ｏｎｌｙ Ｍｅｍｏｒｙ、ＲＯＭ、ＲＡＭ、磁気ディスク、光ディスク等のプログラムコードを記憶できる種々の媒体を用いることができる。
【０１３４】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲の保護範囲に準ずるものとする。
【図１】
2021508209.tif 000003
【図２】
2021508209.tif 000004
【図３】
2021508209.tif 000005
【図４】
2021508209.tif 000006
【図５】
2021508209.tif 000007
【図６】
2021508209.tif 000008
【国際調査報告】
2021508209.tif 000009
2021508209.tif 000010
2021508209.tif 000011
2021508209.tif 000012
2021508209.tif 000013
2021508209.tif 000014